(57)【要約】【課題】時間や場所の制約をほとんど受けずに、簡単に募金することを可能とし、さらに、利用者が自ら募金額を決定できることを特徴とする募金装置付自動販売機を提供すること。【解決手段】本件発明に係る自動販売機は入金額と商品価額との差額を算出する差額算出部と、募金額の入力を受付ける募金額受付部と、算出された差額と、受付けた募金額と、から釣銭額を算出する釣銭額算出部とを有する。本自動販売機の募金額受付部インターフェースより募金額を入力することで、商品を購入した際に生じる釣銭額の中から募金を行うことが可能である。募金額は利用者が自ら決定することができることを特徴とする。また、商品を購入しない場合であっても募金をすることができるという特徴を有する。さらに、自動販売機を利用する際に電子マネー機能を用いて支払いをする場合であっても募金が可能である。【選択図】    図１
2008021103.tif 000002
【特許請求の範囲】
【請求項１】
入金額と商品価額との差額を算出する差額算出部と、
募金額の入力を受付ける募金額受付部と、
算出された差額と、受付けた募金額と、から釣銭額を算出する釣銭額算出部と、
を有する自動販売機。
【請求項２】
募金額受付部は、
募金額を受付けるための硬貨単位又は／及び紙幣単位ボタンからなる募金ボタンを有する請求項１に記載の自動販売機。
【請求項３】
商品購入ボタンが押されない場合には差額算出部は、商品価額を０円として差額を算出する請求項１又は２に記載の自動販売機。
【請求項４】
募金額受付部は、算出された差額を超えた入力があった場合には、算出された差額を募金額として受付ける超過切捨受付手段を有する請求項１から３のいずれか一に記載の自動販売機。
【請求項５】
入金額は、投入口から投入された硬貨又は紙幣の額面により取得される請求項１から４のいずれか一に記載の自動販売機。
【請求項６】
入金額を予め設定する入金額設定部と、
入金額設定部により設定された額を電子的に取得することにより入金を行う電子マネー取得部と、
を有する請求項１から５のいずれか一に記載の自動販売機。
【請求項７】
商品購入ボタンが複数回押された場合には最終回に押されたボタンの情報のみを記憶する商品選択情報記憶部と、
募金ボタンが複数回押された場合には全ての情報を加算的に記憶する募金額加算情報記憶部と、
を有する請求項１から６のいずれか一に記載の自動販売機。
【請求項８】
商品選択情報記憶部と募金額加算情報記憶部とに記憶している情報は返却レバーを押すことにより消去される記憶情報消去部
を有する請求項１から７のいずれか一に記載の自動販売機。
【請求項９】
差額算出部と、募金額受付部と、釣銭額算出部と、の処理履歴情報を保持する処理履歴情報保持部と、
保持されている処理履歴情報を外部に対して送信するための処理履歴情報送信部と、
を有する請求項１から８のいずれか一に記載の自動販売機。
【発明の詳細な説明】
【技術分野】
【０００１】
本発明は、自動販売機に募金の機能がついており、さらに利用者が自ら募金額を決定できることを特徴とする募金装置付自動販売機に関する。
【背景技術】
【０００２】
一般に募金を集める方法としては、街頭においてボランティア団体等の人々が募金箱を持ち人々に募金を呼びかけるものや、災害が起こったときにテレビ局等が募金専用ダイヤルや募金専用銀行口座を設置し募金を集めるもの等があった。
【０００３】
また、特許文献１には募金を自動で受付ける装置が開示されている。さらに、特許文献２には自動販売機等により生じる釣銭を募金として受付ける装置が開示されている。
【特許文献１】特開平１１−２７２７６６号公報
【特許文献２】特開２００２−８３３４４号公報
【発明の開示】
【発明が解決しようとする課題】
【０００４】
しかしながら、街頭において募金を呼びかける方法においては呼びかける人等の人件費や活動運営費等の費用がかかるという問題があった。また、災害が起こったときの募金専用ダイヤルや募金専用銀行口座の設置については期限が限定されていることが多く、募金をしたいときにいつでも行えるというものではなかった。さらに銀行口座については、わざわざ銀行に行かなくてはならない点や、銀行口座番号をメモして持参しなくてはいけないという点で煩雑であった。
【０００５】
また、特許文献１の発明のように募金を自動で受付ける装置であれば前記費用も削減でき、募金の期限も限られないがその装置の置いてある場所まで行かなくてならない点は改善されておらず、また作業にも時間をとられ煩雑である。
【０００６】
さらに、特許文献２においては自動販売機の釣銭を募金するという発明がなされているが、その募金額を自ら決定することができず、利用者にとって便利であるとは言えない。
【０００７】
本発明は、上記の問題点に鑑みてなされたものであり、時間や場所の制約をほとんど受けずに、簡単に募金することを可能とし、さらに、利用者が自ら募金額を決定できることを特徴とする募金装置付自動販売機を提供することを目的とする。
【課題を解決するための手段】
【０００８】
上記目的を達成するために、次に示す自動販売機を提供する。すなわち、第一の発明としては、入金額と商品価額との差額を算出する差額算出部と、募金額の入力を受付ける募金額受付部と、算出された差額と、受付けた募金額と、から釣銭額を算出する釣銭額算出部とを有する自動販売機を提供する。
【０００９】
第二の発明としては、募金額受付部は、募金額を受付けるための硬貨単位又は／及び紙幣単位ボタンからなる募金ボタンを有する自動販売機を提供する。
【００１０】
第三の発明としては、商品購入ボタンが押されない場合には差額算出部は、商品価額を０円として差額を算出する自動販売機を提供する。
【００１１】
第四の発明としては、募金額受付部は、算出された差額を超えた入力があった場合には、算出された差額を募金額として受付ける超過切捨受付手段を有する自動販売機を提供する。
【００１２】
第五の発明としては、入金額は、投入口から投入された硬貨又は紙幣の額面により取得される自動販売機を提供する。
【００１３】
第六の発明としては、入金額を予め設定する入金額設定部と、入金額設定部により設定された額を電子的に取得することにより入金を行う電子マネー取得部とを有する自動販売機を提供する。
【００１４】
第七の発明としては、商品購入ボタンが複数回押された場合には最終回に押されたボタンの情報のみを記憶する商品選択情報記憶部と、募金ボタンが複数回押された場合には全ての情報を加算的に記憶する募金額加算情報記憶部とを有する自動販売機を提供する。
【００１５】
第八の発明としては、商品選択情報記憶部と募金額加算情報記憶部とに記憶している情報は返却レバーを押すことにより消去される記憶情報消去部を有する自動販売機を提供する。
【００１６】
第九の発明としては、差額算出部と、募金額受付部と、釣銭額算出部と、の処理履歴情報を保持する処理履歴情報保持部と、保持されている処理履歴情報を外部に対して送信するための処理履歴情報送信部とを有する自動販売機を提供する。
【発明の効果】
【００１７】
本発明の募金装置付自動販売機によれば自動販売機の利用者は、時間や場所を選ばず、簡単に募金をすることが可能であり、募金のみのための利用も可能である。さらに、利用者は自ら募金額を決定することができる。また、電子マネーによる支払いの際にも募金することが可能である。
【発明を実施するための最良の形態】
【００１８】
以下に本発明を実施するための最良の形態について図面を用いて詳細に説明する。なお、本発明はこれら実施形態に何ら限定されるものではなく、その要旨を逸脱しない範囲において、種々なる態様で実施しうる。
【００１９】
実施形態１は、主に請求項１、５について説明する。
【００２０】
実施形態２は、主に請求項２について説明する。
【００２１】
実施形態３は、主に請求項３について説明する。
【００２２】
実施形態４は、主に請求項４について説明する。
【００２３】
実施形態５は、主に請求項６について説明する。
【００２４】
実施形態６は、主に請求項７について説明する。
【００２５】
実施形態７は、主に請求項８について説明する。
【００２６】
実施形態８は、主に請求項９について説明する。
【００２７】
実施形態９は、主に請求項１から９について説明する。
<<実施形態１>>
【００２８】
<実施形態１：概要>本実施形態は自動販売機を現金による支払いで利用した際に生じる釣銭額の中から、利用者が自ら募金額を決定することが可能であることを特徴とする自動販売機について説明する。
【００２９】
<実施形態１：構成>本実施形態に係る自動販売機は入金額と商品価額との差額を算出する差額算出部と、募金額の入力を受付ける募金額受付部と、算出された差額と、受付けた募金額と、から釣銭額を算出する釣銭額算出部とを有し、入金額は、投入口から投入された硬貨又は紙幣の額面により取得される。
【００３０】
本実施形態に係る自動販売機の概略構成図を図１に示した。この図１において、自動販売機筐体（０１００）の上部に商品（０１０１）が陳列してある。各商品の下には商品購入ボタン（０１０２）が設置されており、このボタンを押すことにより商品を選択することが可能である。また、商品陳列の下段右端に募金額受付部のインターフェース（０１０３）が設置されている。募金額受付部のインターフェースは利用者が募金額を指定できるようなシステムを有しているものであれば、どのような形で設けられていても良い。
【００３１】
次に、図１において自動販売機筐体（０１００）の中央部左側には広告用スペース（０１０４）、右側には表示部（０１０５）、硬貨投入口（０１０６）、紙幣投入口（０１０７）、返却レバー（０１０８）等が設置されている。ここで、表示部には投入金額等の情報が表示される。この自動販売機において、広告用スペースには募金先の情報が明記されており、利用者は募金先を確認できるため安心して募金することができる。
【００３２】
次に、図１において自動販売機筐体（０１００）の下部中央には、商品取出口（０１０９）、右端には釣銭取出口（０１１０）が設置されている。
【００３３】
本実施形態に係る自動販売機の機能ブロックの一例を図２に示した。図２に示す本実施形態の「自動販売機」（０２００）は、「差額算出部」（０２０１）と「募金額受付部」（０２０２）と「釣銭額算出部」（０２０３）とを有する。
【００３４】
「差額算出部」（０２０１）は、利用者によって自動販売機の投入口から投入された硬貨又は紙幣の額面により取得される入金額と、利用者によって選択された商品の商品価格との差額を算出する部分である。ここで、投入口とは硬貨投入口及び紙幣投入口を合わせた総称である。例えば、利用者が投入口から２００円を入金して１２０円の商品を選択した場合、差額算出部により算出される差額は８０円になる。
【００３５】
「募金額受付部」（０２０２）は、募金額を受付ける部分であり、自動販売機の利用者が自ら募金額を決定することが可能であることを特徴とする。
【００３６】
「釣銭算出部」（０２０３）は、差額算出部によって算出された差額と募金額受付部によって受付けた募金額とから釣銭額を算出する部分である。例えば、算出された差額が８０円であり、自動販売機の使用者が３０円を募金額として決定すると、５０円が釣銭額として算出される。
【００３７】
次に、本実施形態に係る自動販売機のハードウェア構成の一例を図３に示した。この図を利用してそれぞれのハードウェア構成部の働きについて説明する。この図にあるように、本実施形態の自動販売機は、「ＣＰＵ（中央演算装置）」（０３０１）、「主メモリ」（０３０２）、「インターフェース」（０３０３）、「記憶装置」（０３０４）等で構成されており、それらが「システムバス」（０３０５）等のデータ通信経路によって相互に接続され、情報の送受信や処理を行う。
【００３８】
「主メモリ」は、差額算出プログラム（０３０６）、募金額受付プログラム（０３０７）、釣銭額算出プログラム（０３０８）を実行するために読み出すと同時にそのプログラムの作業領域であるワーク領域を提供する。
【００３９】
「インターフェース」は、投入口（０３０９）、商品購入ボタン（０３１０）、募金額受付部インターフェース（０３１１）、表示部（０３１２）を備えている。
【００４０】
「記憶装置」は、インターフェースから取り込まれた情報や各プログラムによって算出された情報を格納、保持する。
【００４１】
「ＣＰＵ」は、主メモリ上に展開されたプログラムを順次実行することで、主メモリ上のデータやインターフェースを介して入力されるデータ、記憶装置に格納されているデータを処理することで各部の機能が実現される。
【００４２】
（差額算出部の処理）
利用者によって自動販売機の投入口から硬貨又は紙幣が投入されると、「ＣＰＵ」は投入されたの額面により入金額を取得し、入金額を記憶装置に格納、保持する。次に、利用者によって商品購入ボタンが押されると、「ＣＰＵ」はその商品情報や商品価格を記憶装置に格納、保持する。「ＣＰＵ」は記憶装置等に保持されている差額算出プログラムを「主メモリ」のワーク領域に読み込み、入金額、商品価格も「主メモリ」のワーク領域に一時的に記憶する。そして、「主メモリ」に展開されているプログラムを実行する。この処理により入金額と商品価格との差額を算出し、その差額を表示部に表示する。また、その差額を記憶装置に格納、保持する。
【００４３】
（募金額受付部の処理）
「ＣＰＵ」は記憶装置等に保持されている募金額受付プログラムを「主メモリ」のワーク領域に読み込み、利用者によって自動販売機の募金額受付部のインターフェースから募金額情報が入力されると、「主メモリ」に展開されているプログラムを実行する。この処理により募金額を算出し、その募金額を記憶装置に格納、保持する。
【００４４】
（釣銭額算出部の処理）
さらに、「ＣＰＵ」は記憶装置等に保持されている釣銭額算出プログラムを「主メモリ」のワーク領域に読み込み、差額及び募金額もワーク領域に一時的に記憶する。そして、「主メモリ」に展開されているプログラムを実行する。この処理により釣銭額を算出し、その釣銭額を表示部に表示する。また、その釣銭額を記憶装置に格納、保持する。
【００４５】
<実施形態１：処理の流れ>本実施形態における処理の流れの一例を図４に示した。最初に、ステップＳ０４０１において利用者によって投入口から入金されたかを判断する。ここでの判断が入金されたとの判断であった場合にはステップＳ０４０２に移行する。一方、ここでの判断が入金されていないとの判断であった場合にはステップＳ０４０１に移行する。次に、ステップＳ０４０２においてその入金額を表示部に表示する。次に、ステップＳ０４０３において利用者によって商品購入ボタンが押されたかを判断する。ここでの判断が押されたとの判断であった場合にはステップＳ０４０４に移行する。一方、ここでの判断が押されていないとの判断であった場合にはステップＳ０４０５に移行する。次に、ステップＳ０４０４において該当の商品を出荷する。次に、ステップＳ０４０５において差額算出部によって算出された差額を表示部に表示する。次に、ステップＳ０４０６において利用者によって募金額受付部インターフェースより募金額情報が入力されたかを判断する。ここでの判断が入力されたとの判断であった場合にはステップＳ０４０７に移行する。一方、ここでの判断が入力されていないとの判断であった場合にはステップＳ０４０８に移行する。次に、ステップＳ０４０７において釣銭額算出部によって算出された釣銭額を表示部に表示する。次に、ステップＳ０４０８において表示部に表示されている金額を出金する。
【００４６】
<実施形態１：効果>本実施形態の自動販売機により、自動販売機を利用した際の釣銭を簡単に募金することができる。また、募金額を自ら決定することができる。
【００４７】
<実施形態１：具体例>本実施形態に係る自動販売機は募金装置を搭載しており、これは社会に貢献するものであって、さらに環境問題等に配慮したものであることが望ましい。そこで、推奨される具体的な設置例を以下に記す。自動販売機はその数が非常に多いことでエネルギー多消費による地球温暖化等の環境問題を引き起こしていると言われている。自動販売機はメーカー毎に設置されているのが現状であり、一所に２〜３台の自動販売機が設置されているのをよく見掛ける。そこで、メーカーを統合した１台の自動販売機に集約することを提案する。これにより、エネルギー消費量や電気代等の維持のコストを半減することが可能である。また、配送も協同配送方式にすることで、さらに燃料消費を削減できる。
【００４８】
また、本実施形態の自動販売機を企業等の社内や工場等に設置した場合、広告用スペースには募金先の情報が明記されていることから、一目で募金に貢献している企業だということが分かる。さらに、前述のメーカー統合を実行している場合にはエネルギー消費量削減にも貢献していることになる。
<<実施形態２>>
【００４９】
<実施形態２：概要>本実施形態は実施形態１を基本として、さらに具体的に募金額受付部のインターフェースとして募金ボタンを有することを特徴とした自動販売機について説明する。
【００５０】
<実施形態２：構成>本実施形態に係る自動販売機の募金額受付部は、募金額を受付けるための硬貨単位又は／及び紙幣単位ボタンからなる募金ボタンを有する。
【００５１】
本実施形態に係る自動販売機の概略構成図は図１に示したものとほぼ同様であり、各構成要素については実施形態１にて既に記載済みであるのでその説明は省略する。図５に、図１で示した募金額受付部のインターフェース（０１０３）の拡大図を示した。例えば、募金額受付部のインターフェースは１００円募金ボタン（０５０１）、１０円募金ボタン（０５０２）によって構成されている。
【００５２】
この募金額受付部のインターフェースとして設置される募金ボタンは複数である必要はなく、１つでも構わない。また、「硬貨単位ボタン」とは１００円募金ボタン、１０円募金ボタンといった硬貨単位の募金ボタンであり、「紙幣単位ボタン」とは１０００円募金ボタン、５０００円募金ボタンといった紙幣単位の募金ボタンである。
【００５３】
本実施形態に係る自動販売機の機能ブロックは図２に示したものとほぼ同様であり、「自動販売機」（０２００）は、「差額算出部」（０２０１）と「募金額受付部」（０２０２）と「釣銭額算出部」（０２０３）とを有する。なお、「差額算出部」、「釣銭額算出部」に関しては実施形態１にて既に記載済みであるのでその説明は省略する。
【００５４】
「募金額受付部」（０２０２）は、募金額を受付ける部分であり、自動販売機の利用者が自ら募金額を決定することが可能であることを特徴とする。本実施形態においては自動販売機に１００円募金ボタン及び１０円募金ボタンといった２つのボタンが用意されており（図５の０５０１、０５０２）、このボタンが押し下げられた回数とその硬貨単位を乗じた額が募金額として受付けられる。例えば、１０円募金ボタンが３回押された場合には３０円が募金額として受付けられる。１０円募金ボタンを押す度に１０円ずつの募金が行われる仕組みである。
【００５５】
次に、本実施形態に係る自動販売機のハードウェア構成の一例を図６に示した。この図を利用してそれぞれのハードウェア構成部の働きについて説明する。この図にあるように、本実施形態の自動販売機は、「ＣＰＵ（中央演算装置）」（０６０１）、「主メモリ」（０６０２）、「インターフェース」（０６０３）、「記憶装置」（０６０４）等で構成されており、それらが「システムバス」（０６０５）等のデータ通信経路によって相互に接続され、情報の送受信や処理を行う。
【００５６】
「インターフェース」は、投入口（０６０９）、商品購入ボタン（０６１０）、募金ボタン（０６１１）、表示部（０６１２）、返却レバー（０６１３）を備えている。
【００５７】
「ＣＰＵ」、「主メモリ」、「記憶装置」については、実施形態１にて既に記載済みであるのでその説明は省略する。
【００５８】
「差額算出部」、「釣銭額算出部」の各部の処理については、実施形態１にて既に記載済みであるのでその説明は省略する。
【００５９】
（募金額受付部の処理）
「ＣＰＵ」は、記憶装置等に保持されている募金額受付プログラムを「主メモリ」のワーク領域に読み込み、利用者によって自動販売機の募金ボタンが押されることで募金額情報が入力されると、「主メモリ」に展開されているプログラムを実行する。この処理により募金額を算出し、その募金額を記憶装置に格納、保持する。
【００６０】
<実施形態２：処理の流れ>本実施形態における処理の流れの一例を図７に示した。最初に、ステップＳ０７０１において利用者によって投入口から入金されたかを判断する。ここでの判断が入金されたとの判断であった場合にはステップＳ０７０２に移行する。一方、ここでの判断が入金されていないとの判断であった場合にはステップＳ０７０１に移行する。次に、ステップＳ０７０２においてその入金額を表示部に表示する。次に、ステップＳ０７０３において利用者によって商品購入ボタンが押されたかを判断する。ここでの判断が押されたとの判断であった場合にはステップＳ０７０４に移行する。一方、ここでの判断が押されていないとの判断であった場合にはステップＳ０７０５に移行する。次に、ステップＳ０７０４において該当の商品を出荷する。次に、ステップＳ０７０５において差額算出部によって算出された差額を表示部に表示する。次に、ステップＳ０７０６において利用者によって募金ボタンが押されたかを判断する。ここでの判断が押されたとの判断であった場合にはステップＳ０７０７に移行する。一方、ここでの判断が押されていないとの判断であった場合にはステップＳ０７０８に移行する。次に、ステップＳ０７０７において釣銭額算出部によって算出された釣銭額を表示部に表示する。次に、ステップＳ０７０８において、募金額が決定されたかの判断をする。ここでの判断が決定されたとの判断であった場合にはステップＳ０７０９に移行する。一方、ここでの判断が決定されていないとの判断であった場合にはステップＳ０７０６に移行する。次に、ステップＳ０７０９において表示部に表示されている金額を出金する。
【００６１】
ここで、ステップＳ０７０８において利用者が募金額を決定する方法は返却レバーが押されたことによってなされても良いし、利用者が最後の入力を行ってから所定時間が経過したことによってなされても良い。
【００６２】
<実施形態２：効果>募金額受付部のインターフェースとして募金ボタンを設置することにより、利用者は通常商品を購入する方法と同様の方法で簡単に募金額を決定することが可能である。
<<実施形態３>>
【００６３】
<実施形態３：概要>実施形態２を基本として、商品を購入しない場合であっても募金のみをすることが可能である自動販売機について説明する。
【００６４】
<実施形態３：構成>本実施形態に係る自動販売機は、商品購入ボタンが押されない場合には差額算出部は、商品価額を０円として差額を算出する自動販売機である。
【００６５】
本実施形態に係る自動販売機の機能ブロックは図２に示したものとほぼ同様であり、各部については実施形態１及び２にて既に記載済みであるのでその説明は省略する。
【００６６】
本実施形態に係る自動販売機のハードウェア構成は図６に示したものとほぼ同様であり、各部で行われる処理については実施形態１及び２にて既に記載済みであるのでその説明は省略する。
【００６７】
<実施形態３：処理の流れ>本実施形態における処理の流れは図７に示したものとほぼ同様であり、その流れについては実施形態１及び２にて既に記載済みであるのでその説明は省略する。
【００６８】
本実施形態は、図７で示したステップＳ０７０３において利用者によって商品購入ボタンが押されていないとの判断があった場合であり、この場合にはステップＳ０７０５に移行し、ここで差額算出部は商品価格を０円として差額を算出する。
【００６９】
<実施形態３：効果>本実施形態によると利用者は商品を購入しない場合であっても募金のみを行うことが可能である。
<<実施形態４>>
【００７０】
<実施形態４：概要>実施形態２を基本として、入金額と商品価格との差額を超えた募金額を受付けた場合について説明する。
【００７１】
<実施形態４：構成>本実施形態に係る自動販売機の募金額受付部は、算出された差額を超えた入力があった場合には、算出された差額を募金額として受付ける超過切捨受付手段を有する。
【００７２】
本実施形態に係る自動販売機の機能ブロックの一例を図８に示した。図８に示す本実施形態の「自動販売機」（０８００）は、「差額算出部」（０８０１）と「募金額受付部」（０８０２）と「釣銭算出部」（０８０３）とを有し、「募金額受付部」が「超過切捨受付手段」（０８０４）を有することを特徴とする。
【００７３】
「差額算出部」、「募金額受付部」、「釣銭算出部」については、実施形態１及び２にて既に記載済みであるのでその説明は省略する。
【００７４】
「超過切捨受付手段」（０８０４）とは、募金額受付部に対し差額算出部で算出された差額を超えた入力があった場合には、算出された差額を募金額として受付ける手段である。例えば、算出された差額が８０円であるのに対し、１０円募金ボタンを９回以上押した場合には超過分は切り捨て、８０円を募金額として受付ける。
【００７５】
本実施形態に係る自動販売機のハードウェア構成は図６に示したものとほぼ同様であり、各部で行われる処理については実施形態１及び２にて既に記載済みであるのでその説明は省略する。
【００７６】
<実施形態４：処理の流れ>本実施形態における処理の流れの一例を図９に示した。最初に、ステップＳ０９０１において利用者によって投入口から入金されたかを判断する。ここでの判断が入金されたとの判断であった場合にはステップＳ０９０２に移行する。一方、ここでの判断が入金されていないとの判断であった場合にはステップＳ０９０１に移行する。次に、ステップＳ０９０２においてその入金額を表示部に表示する。次に、ステップＳ０９０３において利用者によって商品購入ボタンが押されたかを判断する。ここでの判断が押されたとの判断であった場合にはステップＳ０９０４に移行する。一方、ここでの判断が押されていないとの判断であった場合にはステップＳ０９０５に移行する。次に、ステップＳ０９０４において該当の商品を出荷する。次に、ステップＳ０９０５において差額算出部によって算出された差額を表示部に表示する。次に、ステップＳ０９０６において利用者によって募金ボタンが押されたかを判断する。ここでの判断が押されたとの判断であった場合にはステップＳ０９０７に移行する。一方、ここでの判断が押されていないとの判断であった場合にはステップＳ０９１０に移行する。次に、ステップＳ０９０７において釣銭算出部によって算出された釣銭額が正の値であるかを判断する。ここでの判断が正の値であるとの判断であった場合にはステップＳ０９０８に移行する。一方、ここでの判断が正の値ではないとの判断であった場合にはステップＳ０９０９に移行する。一方、ここで、ステップＳ０９０８においては釣銭額算出部によって算出された釣銭額を表示部に表示する。また、ステップＳ０９０９においては釣銭額を０円として表示部に表示する。次に、ステップＳ０９１０において、募金額が決定されたかを判断する。ここでの判断が決定されたとの判断であった場合にはステップＳ０９１１に移行する。一方、ここでの判断が決定されていないとの判断であった場合にはステップＳ０９０６に移行する。次に、ステップＳ０９１１において表示部に表示されている金額を出金する。
【００７７】
<実施形態４：効果>入金額と商品価格との差額を超えた募金額を受付けた場合には、差額を募金額として受付けるため、超過分を新たに入金する必要はない。また、全額募金するために募金ボタンを連打したとしても問題は生じない。さらに、釣銭を全て募金したいときには釣銭額よりも大きな額のボタン、もしくはその釣銭額と同等の額のボタンを押すことにより募金額を決めるためにボタンを押す回数を減らすことが可能である。
<<実施形態５>>
【００７８】
<実施形態５：概要>本実施形態は自動販売機を利用する際に電子マネーで支払いをする場合であっても募金できることを特徴とする自動販売機について説明する。
【００７９】
<実施形態５：構成>本実施形態に係る自動販売機は、入金額を予め設定する入金額設定部と、入金額設定部により設定された額を電子的に取得することにより入金を行う電子マネー取得部とを有する。
【００８０】
図１０に本実施形態に係る自動販売機の概略構成図を示した。この図１０において、自動販売機筐体（１０００）の上部に商品（１００１）が陳列してある。各商品の下には商品購入ボタン（１００２）が設置されており、このボタンにより商品を選択することを可能とする。また、商品陳列下段右端に募金額受付部のインターフェース（１００３）が設置されている。
【００８１】
次に、図１０において自動販売機筐体（１０００）の中央部左側には公告用スペース（１００４）、電子マネー取得部（１００５）、右側には表示部（１００６）、硬貨投入口（１００７）、紙幣投入口（１００８）、返却レバー（１００９）等が設置されている。ここで、表示部には商品価格等の情報が表示される。
【００８２】
次に、図１０において自動販売機筐体（１０００）の下部中央には、商品取出口（１０１０）、右端には釣銭取出口（１０１１）が設置されている。
【００８３】
本実施形態に係る自動販売機の機能ブロックの一例を図１１に示した。図１１に示す本実施形態の「自動販売機」（１１００）は、「差額算出部」（１１０１）と「募金額受付部」（１１０２）と「入金額設定部」（１１０３）と「電子マネー取得部」（１１０４）を有する。
【００８４】
「差額算出部」（１１０１）は、入金額と、利用者によって選択された商品の商品価格との差額を算出する部分である。入金される前に商品購入ボタンが押された場合には、入金額は０円として差額を算出する。例えば、利用者が１２０円の商品を選択した場合には差額算出部によって算出される差額は１２０円になる。
【００８５】
「募金額受付部」（１１０２）は、募金額を受付ける部分であり、自動販売機の利用者が自ら募金額を決定することが可能であることを特徴とする。利用者によって入力された金額を募金額として受付ける。募金額受付部のインターフェースとして、例えば募金ボタンを有していても良い。
【００８６】
「入金額設定部」（１１０３）は、入金額を予め設定する部分である。具体的には、商品購入ボタンが押されたことにより選択された商品の商品価格や、募金ボタンが押されたことにより設定される募金額とにより算出される。利用者は入金額設定部によって設定される金額を表示部で確認することができる。
【００８７】
「電子マネー取得部」（１１０４）は、入金額設定部により設定された額を電子的に取得することにより入金を行う部分である。実際には電子マネー取得部に電子マネー機能を持った媒体を近づけたり、接触させたりすることで入金を行う。
【００８８】
本実施形態に係る自動販売機のハードウェア構成の一例を図１２に示した。この図を利用してそれぞれのハードウェア構成部の働きについて説明する。この図にあるように、本実施形態の自動販売機は、「ＣＰＵ（中央演算装置）」（１２０１）、「主メモリ」（１２０２）、「インターフェース」（１２０３）、「記憶装置」（１２０４）等で構成されており、それらが「システムバス」（１２０５）等のデータ通信経路によって相互に接続され、情報の送受信や処理を行う。
【００８９】
「主メモリ」は、差額算出プログラム（１２０６）、募金額受付プログラム（１２０７）、入金額設定プログラム（１２０８）を実行するために読み出すと同時にそのプログラムの作業領域であるワーク領域を提供する。
【００９０】
「インターフェース」は、電子マネー取得部（１２０９）、商品購入ボタン（１２１０）、募金ボタン（１２１１）、表示部（１２１２）、を備えている。
【００９１】
「ＣＰＵ」、「記憶装置」については、実施形態１にて既に記載済みであるのでその説明は省略する。
【００９２】
（差額算出部の処理）
利用者によって商品購入ボタンが押されると、「ＣＰＵ」はその商品情報や商品価格を記憶装置に格納、保持する。「ＣＰＵ」は記憶装置等に保持されている差額算出プログラムを「主メモリ」のワーク領域に読み込み、商品価格も「主メモリ」のワーク領域に一時的に記憶する。そして、「主メモリ」に展開されているプログラムを実行する。この処理により商品価格を差額として算出し、その差額を記憶装置に格納、保持する。
【００９３】
（募金額受付部の処理）
「ＣＰＵ」は記憶装置等に保持されている募金額受付プログラムを「主メモリ」のワーク領域に読み込み、利用者によって自動販売機の募金ボタンが押されると、「主メモリ」に展開されているプログラムを実行する。この処理により募金額を算出し、その募金額を記憶装置に格納、保持する。
【００９４】
（入金額設定部の処理）
さらに、「ＣＰＵ」は記憶装置等に保持されている入金額設定プログラムを「主メモリ」のワーク領域に読み込み、差額及び募金額もワーク領域に一時的に記憶する。そして、「主メモリ」に展開されているプログラムを実行する。この処理により入金を算出し、その入金額を表示部に表示する。また、その入金額を記憶装置に格納、保持する。
【００９５】
<実施形態５：処理の流れ>本実施形態における処理の流れの一例を図１３示した。最初に、ステップＳ１３０１において利用者によって商品購入ボタンが押されたかを判断する。ここでの判断が押されたとの判断であった場合にはステップＳ１３０２に移行する。一方、ここでの判断が押されていないとの判断であった場合にはステップＳ１３０３に移行する。次に、ステップＳ１３０２においてステップＳ１３０１で選択された商品の商品価格が表示部に表示される。次に、ステップＳ１３０３において利用者によって募金ボタンが押されたかを判断する。ここでの判断が押されたとの判断であった場合にはステップＳ１３０４に移行する。一方、ここでの判断が押されていないとの判断であった場合にはステップＳ１３０５に移行する。次に、ステップＳ１３０４において商品価格と募金額とを加算した額を表示部に表示する。次に、ステップＳ１３０５において利用者によって電子マネーが入金されたかを判断する。ここでの判断が入金されたとの判断であった場合にはステップＳ１３０６に移行する。一方、ここでの判断が押されていないとの判断であった場合にはステップＳ１３０５に移行する。次に、ステップＳ１３０６において該当の商品を出荷する。
【００９６】
以上の処理の流れにより、商品を購入し募金をしたい場合、商品の購入だけをしたい場合、募金だけをしたい場合の何れの場合でも利用が可能である。また、ここに示したフローチャートは一例に過ぎず、例えば、商品購入ボタンと募金ボタンが押される順は逆であっても構わない。
【００９７】
<実施形態５：効果>本実施形態によれば、自動販売機を利用する際に電子マネー機能を用いて支払いをする場合であっても募金をすることができる。この機能を搭載していると電子マネーによって商品を購入することが多い時代に移り変わったとしても簡単に募金を集めることが可能である。
<<実施形態６>>
【００９８】
<実施形態６：概要>本実施形態は実施形態５を基本として、商品購入ボタンや募金ボタンが複数回押された場合について説明する。
【００９９】
<実施形態６：構成>本実施形態に係る自動販売機は商品購入ボタンが複数回押された場合には最終回に押されたボタンの情報のみを記憶する商品選択情報記憶部と、募金ボタンが複数回押された場合には全ての情報を加算的に記憶する募金額加算情報記憶部とを有する。
【０１００】
本実施形態に係る自動販売機の機能ブロックの一例を図１４に示した。図１４に示す本実施形態の「自動販売機」（１４００）は、「差額算出部」（１４０１）と「募金額受付部」（１４０２）と「入金額設定部」（１４０３）と「電子マネー取得部」（１４０４）と「商品選択情報記憶部」（１４０５）と「募金額加算情報記憶部」（１４０６）とを有する。
【０１０１】
「差額算出部」、「募金額受付部」、「入金額設定部」、「電子マネー取得部」については、実施形態５にて既に記載済みであるのでその説明は省略する。
【０１０２】
「商品選択情報記憶部」（１４０５）は、商品購入ボタンが複数回押された場合には最終回に押されたボタンの情報のみを更新して記憶する部分である。最終回に押された商品購入ボタンの商品価格から差額算出部によって算出された差額が、商品選択情報記憶部に記憶される。
【０１０３】
「募金額加算情報記憶部」（１４０６）は、募金ボタンが複数回押された場合には全ての募金額情報を加算的に記憶する部分である。募金額受付部で受付けられた募金額が、加算的に募金額加算情報記憶部に記憶される。
【０１０４】
本実施形態に係る自動販売機のハードウェア構成の一例を図１５に示した。この図を利用してそれぞれのハードウェア構成部の働きについて説明する。この図にあるように、本実施形態の自動販売機は、「ＣＰＵ（中央演算装置）」（１５０１）、「主メモリ」（１５０２）、「インターフェース」（１５０３）、「記憶装置」（１５０４）等で構成されており、それらが「システムバス」（１５０５）等のデータ通信経路によって相互に接続され、情報の送受信や処理を行う。
【０１０５】
「記憶装置」は、インターフェースから取り込まれた情報や各プログラムによって算出された情報を格納、保持する。本実施形態においては、商品選択情報（１５１３）、募金額加算情報（１５１４）を格納、保持することを特徴とする。
【０１０６】
「ＣＰＵ」、「主メモリ」、「インターフェース」については、実施形態１及び５にて既に記載済みであるのでその説明は省略する。
【０１０７】
（差額算出部の処理）
利用者によって商品購入ボタンが押されると、「ＣＰＵ」はその商品情報や商品価格を記憶装置に格納、保持する。「ＣＰＵ」は記憶装置等に保持されている差額算出プログラムを「主メモリ」のワーク領域に読み込み、商品価格も「主メモリ」のワーク領域に一時的に記憶する。そして、「主メモリ」に展開されているプログラムを実行する。この処理により商品価格が差額として算出し、その差額を記憶装置に商品選択情報として格納、保持する。
【０１０８】
（商品選択情報記憶部の処理）
差額算出部の処理により、差額を記憶装置に商品選択情報として格納、保持した後に、再び利用者によって商品購入ボタンが押された場合には、差額算出部は前記の処理を繰り返す。このとき、「ＣＰＵ」は記憶装置に以前記憶された商品選択情報を消去し、新たに算出された差額を商品選択情報として格納、保持する。この処理は、電子マネー取得部からの電子マネーの入金がなされるまで繰り返される。
【０１０９】
（募金額受付部の処理）
「ＣＰＵ」は記憶装置等に保持されている募金額受付プログラムを「主メモリ」のワーク領域に読み込み、利用者によって自動販売機の募金ボタンが押されると、「主メモリ」に展開されているプログラムを実行する。この処理により募金額を算出し、その募金額を記憶装置に募金額加算情報として格納、保持する。
【０１１０】
（募金額加算情報記憶部の処理）
募金額受付部の処理により、募金額を記憶装置に募金額加算情報として格納、保持した後に、再び利用者によって募金ボタンが押された場合には、募金額受付部は前記の処理を繰り返す。このとき、「ＣＰＵ」は、記憶装置に以前記憶された募金額加算情報に加算して、新たに算出された募金額を募金額加算情報として格納、保持する。この処理は、電子マネー取得部からの電子マネーの入金がなされるまで繰り返される。
【０１１１】
（入金額設定部の処理）
さらに、「ＣＰＵ」は記憶装置等に保持されている入金額設定プログラムを「主メモリ」のワーク領域に読み込み、商品選択情報及び募金額加算情報もワーク領域に一時的に記憶する。そして、主メモリに展開されているプログラムを実行する。この処理により入金を算出し、その入金額を表示部に表示する。また、その入金額を記憶装置に格納、保持する。
【０１１２】
<実施形態６：処理の流れ>本実施形態における処理を説明する概念図を図１６に示した。利用者によって、商品購入ボタンや募金ボタンが複数回押された場合に、自動販売機がどのような判断をするかを場合分けして説明する。図１６（ａ）から（ｄ）の各図においてＡからＤは商品であり、各商品の下には商品購入ボタンが設置されている。さらに、ＥとＦは募金受付ボタンの硬貨又は／及び紙幣単位ボタンの募金額単位を表記している部分である。この部分の下に設置されている募金ボタンが押されることにより募金額の入力がなされる。また、同図の（１）から（６）はボタンが押される順番を表すものである。
【０１１３】
まず、図１６（ａ）は商品購入ボタンが複数回押された場合である。利用者が商品Ａの商品購入ボタン、商品Ｄの商品購入ボタン、商品Ｃの商品購入ボタンという順に押した場合には、商品Ｃのみが選択される。
【０１１４】
次に、図１６（ｂ）は募金ボタンが複数回押された場合である。利用者が募金額Ｅの募金ボタン、募金額Ｆの募金ボタン、募金額Ｆの募金ボタンという順に押した場合には、Ｅ×１＋Ｆ×２［円］が募金額として決定される。
【０１１５】
次に、図１６（ｃ）は商品購入ボタンが複数回押された後、募金ボタンが複数回押された場合である。利用者が商品Ａの商品購入ボタン、商品Ｂの商品購入ボタン、募金額Ｅの募金ボタン、募金額Ｆの募金ボタンという順に押した場合には、商品Ｂのみが選択され、商品Ｅ×１＋Ｆ×１［円］が募金額として決定される。
【０１１６】
次に、図１６（ｄ）は商品購入ボタンが押された後、募金ボタンが複数回押され、さらに商品購入ボタンが押された場合である。利用者が商品Ａの商品購入ボタン、募金額Ｅの募金ボタン、募金額Ｅの募金ボタン、募金額Ｆの募金ボタン、募金額Ｆの募金ボタン、商品Ｄの商品購入ボタン、という順に押した場合には、商品Ｄのみが選択され、商品Ｅ×２＋Ｆ×２［円］が募金額として決定される。
【０１１７】
<実施形態６：効果>商品購入ボタンが複数回押された場合には、常に情報が更新され、１つの商品しか選択されないため、電子マネーによる入金を行った際に多数の商品が同時に出荷される事態を防ぐことができる。
【０１１８】
また、募金ボタンが複数回押された場合には、募金額情報は加算的に更新されるため、利用者は自ら募金額を決定することができる。
<<実施形態７>>
【０１１９】
<実施形態７：概要>本実施形態は実施形態６を基本として、利用者が一度入力した商品購入ボタンの情報や募金ボタンの情報を取り消したい場合には返却レバーを押すことにより全ての入力情報がキャンセルされる場合について説明する。
【０１２０】
<実施形態７：構成>本実施形態に係る自動販売機は、商品選択情報記憶部と募金額加算情報記憶部とに記憶している情報は返却レバーを押すことにより消去される記憶情報消去部を有する。
【０１２１】
本実施形態に係る自動販売機の機能ブロックの一例を図１７に示した。図１７に示す本実施形態の「自動販売機」（１７００）は、「差額算出部」（１７０１）と「募金額受付部」（１７０２）と「入金額設定部」（１７０３）と「電子マネー取得部」（１７０４）と「商品選択情報記憶部」（１７０５）と「募金額加算情報記憶部」（１７０６）と「記憶情報消去部」（１７０７）を有する。
【０１２２】
「差額算出部」、「募金額受付部」、「入金額設定部」、「商品選択情報記憶部」、「募金額加算情報記憶部」については、実施形態６にて既に記載済みであるのでその説明は省略する。
【０１２３】
「記憶情報消去部」（１７０７）は、商品選択情報記憶部と募金額加算情報記憶部とに記憶している情報は返却レバーが押されることにより消去する部分である。
【０１２４】
本実施形態に係る自動販売機のハードウェア構成の一例を図１８に示した。この図を利用してそれぞれのハードウェア構成部の働きについて説明する。この図にあるように、本実施形態の自動販売機は、「ＣＰＵ（中央演算装置）」（１８０１）、「主メモリ」（１８０２）、「インターフェース」（１８０３）、「記憶装置」（１８０４）等で構成されており、それらが「システムバス」（１８０５）等のデータ通信経路によって相互に接続され、情報の送受信や処理を行う。
【０１２５】
「主メモリ」は、差額算出プログラム、募金額受付プログラム、入金額設定プログラム、記憶情報消去プログラムを実行するために読み出すと同時にそのプログラムの作業領域であるワーク領域を提供する。
【０１２６】
「インターフェース」は、電子マネー取得部（１８１０）、商品購入ボタン（１８１１）、募金ボタン（１８１２）、表示部（１８１３）、返却レバー（１８１４）を備えている。
【０１２７】
「ＣＰＵ」、「記憶装置」については、実施形態１及び６にて既に記載済みであるのでその説明は省略する。
【０１２８】
「差額算出部」、「募金額受付部」、「入金額設定部」、「商品選択情報記憶部」、「募金額加算情報記憶部」の各部の処理については、実施形態６にて既に記載済みであるのでその説明は省略する。
【０１２９】
（記憶情報処理部の処理）
「ＣＰＵ」は、記憶装置等に保持されている記憶情報消去プログラムを「主メモリ」のワーク領域に読み込む。利用者によって返却レバーが押されると、「主メモリ」に展開されているプログラムを実行する。この処理により記憶装置に商品選択情報及び募金額加算情報として格納、保持されていた情報を消去する。また、表示部に０円を表示する。
【０１３０】
<実施形態７：処理の流れ>本実施形態における処理を説明する概念図を図１９に示した。利用者によって、商品購入ボタンや募金ボタンが複数回押され、さらに返却レバーが押された場合に、自動販売機がどのような判断をするかを説明する。図１９においてＡからＤは商品であり、各商品の下には商品購入ボタンが設置されている。また、ＥとＦは募金受付ボタンの硬貨又は／及び紙幣単位ボタンの募金額単位を表記している部分である。この部分の下に設置されている募金ボタンが押されることにより募金額の入力がなされる。さらに、Ｇは返却レバーである。また、同図の（１）から（６）はボタンが押される順番を表すものである。
【０１３１】
まず、図１９は商品購入ボタンや募金ボタンが複数回押される間に返却レバーが押された場合である。利用者が商品Ａの商品購入ボタン、募金額Ｅの募金ボタン、募金額Ｆの募金ボタンを押した後に返却レバーＧを押し、さらに、商品Ａの商品購入ボタン、募金額Ｆの募金ボタンという順に押した場合には、商品Ａのみが選択され、Ｆ×１［円］が募金額として決定される。つまり、返却レバーを押すことによってそれ以前に入力した情報を消去することができる。
【０１３２】
<実施形態７：効果>誤って募金額を設定してしまった場合に、返却レバーを押すことによってその情報を消去することが可能である。また、消去される情報は、募金額加算情報のみであっても構わない。
<<実施形態８>>
【０１３３】
<実施形態８：概要>本実施形態は自動販売機に記憶されている商品売上高情報及び募金額情報を自動販売機本体から読み出し、外部のコンピュータを用いて情報管理するための情報管理システムについて説明する。
【０１３４】
<実施形態８：構成>本実施形態に係る自動販売機は差額算出部と、募金額受付部と、釣銭額算出部と、の処理履歴情報を保持する処理履歴情報保持部と、保持されている処理履歴情報を外部に対して送信するための処理履歴情報送信部とを有する。
【０１３５】
本実施形態の概念図を図２０に示した。自動販売機（２００１）に対し、ハンディーターミナル（２００２）と、外部のコンピュータ（２００３）を用いることで自動販売機に記憶されている情報の管理を行うことができる。
【０１３６】
本実施形態に係る自動販売機の機能ブロックの一例を図２１に示した。本実施形態の「自動販売機」（２１００）は、「差額算出部」（２１０１）と「募金額受付部」（２１０２）と「釣銭額算出部」（２１０３）と「入金額設定部」（２１０４）と「電子マネー取得部」（２１０５）と「商品選択情報記憶部」（２１０６）と「募金額加算情報記憶部」（２１０７）と「記憶情報消去部」（２１０８）と「処理履歴情報保持部」（２１０９）と「処理履歴情報送信部」（２１１０）を有し、「募金額受付部」が「超過切捨受付手段」（２１１１）を有することを特徴とする。また、外部で情報を管理するための「コンピュータ」（２１１３）と自動販売機からコンピュータへの情報媒体として、「ハンディーターミナル」（２１１２）を必要とする。
【０１３７】
「差額算出部」、「募金額受付部」、「釣銭額算出部」、「入金額設定部」、「電子マネー取得部」、「商品選択情報記憶部」、「募金額加算情報記憶部」、「記憶情報消去部」、「超過切捨受付手段」については、実施形態１から７にて既に記載済みであるのでその説明は省略する。
【０１３８】
「処理履歴情報保持部」（２１０９）は、差額算出部と、募金額受付部と、釣銭額算出部と、の処理履歴情報を保持する部分である。管理者はこの情報から商品売上高情報及び募金額情報を得ることができる。
【０１３９】
「処理履歴情報送信部」（２１１０）は、保持されている処理履歴情報を外部に対して送信するための部分である。実際にはハンディーターミナル等の情報媒体を用いて処理履歴情報送信部から情報を読み出す。
【０１４０】
「ハンディーターミナル」（２１１２）は、自動販売機に設置されている処理履歴情報送信部から赤外線通信等によって情報を取得し、外部のコンピュータにその情報を落とし込む情報媒体である。
【０１４１】
「コンピュータ」（２１１３）は、一般に使用されているどのようなコンピュータでも良い。情報管理システムといったソフトウェアを用いて情報を管理することが可能である。
【０１４２】
本実施形態に係る自動販売機のハードウェア構成の一例を図２２に示した。この図を利用してそれぞれのハードウェア構成部の働きについて説明する。この図にあるように、本実施形態の自動販売機は、「ＣＰＵ（中央演算装置）」（２２０１）、「主メモリ」（２２０２）、「インターフェース」（２２０３）、「記憶装置」（２２０４）、「Ｉ／Ｏ（インプット／アウトプット）」（２２０５）等で構成されており、それらが「システムバス」（２２０６）等のデータ通信経路によって相互に接続され、情報の送受信や処理を行う。
【０１４３】
「主メモリ」は、差額算出プログラム（２２０７）、募金額受付プログラム（２２０８）、釣銭額算出プログラム（２２０９）、入金額設定プログラム（２２１０）、記憶情報消去プログラム（２２１１）を実行するために読み出すと同時にそのプログラムの作業領域であるワーク領域を提供する。
【０１４４】
「インターフェース」は、投入口（２２１２）、電子マネー取得部（２２１３）、商品購入ボタン（２２１４）、募金ボタン（２２１５）、表示部（２２１６）、返却レバー（２２１７）を備えている。
【０１４５】
「記憶装置」は、インターフェースから取り込まれた情報や各プログラムによって算出された情報を格納、保持する。本実施形態においては、商品選択情報（２２１８）、募金額加算情報（２２１９）、処理履歴情報（２２２０）を格納、保持することを特徴とする。
【０１４６】
「Ｉ／Ｏ」は、情報の入出力を行う。本実施形態においては、処理履歴情報送信部を有することを特徴とする。
【０１４７】
「ＣＰＵ」については、実施形態１にて既に記載済みであるのでその説明は省略する。
【０１４８】
「差額算出部」、「募金額受付部」、「釣銭額算出部」、「入金額設定部」、「商品選択情報記憶部」、「募金額加算情報記憶部」、「記憶情報処理部」の各部の処理については、実施形態１から７にて既に記載済みであるのでその説明は省略する。
【０１４９】
（処理履歴情報保持部の処理）
差額算出部によって処理される、入金額、商品価格、募金額受付部によって処理される募金額、釣銭額算出部によって処理される釣銭額、等の情報を、処理履歴情報として記憶装置に格納、保持する。
【０１５０】
（処理履歴情報送信部の処理）
Ｉ／Ｏから信号等の入力があると、「ＣＰＵ」は、記憶装置に格納、保持している処理履歴情報を読み出し、Ｉ／Ｏから赤外線通信等の手段でその情報を送信する。
【０１５１】
<実施形態８：処理の流れ>自動販売機に設置されているＩ／Ｏに信号等の入力があると、自動販売機の記憶装置に格納、保持している処理履歴情報をＩ／Ｏから送信する。その送信された情報をハンディーターミナルに読み込み、さらに、コンピュータに落とし込む。
【０１５２】
<実施形態８：効果>このような情報管理システムを有することにより、商品売上高情報及び募金額情報等を簡単に外部コンピュータにより管理することができる。
<<実施形態９>>
【０１５３】
<実施形態９：概要>本実施形態は実施形態１から８を基本として、さらに自動販売機内にディスプレイと音声装置が設置されている自動販売機について説明する。
【０１５４】
<実施形態９：構成>本実施形態に係る自動販売機は、利用者に情報を提供するためのディスプレイと音声装置とを有する。
【０１５５】
本実施形態に係る自動販売機の概略構成図を図２３に示した。この図２３において、自動販売機筐体（２３００）の右側上部と下部に商品（２３０１）が陳列してある。各商品の下には商品購入ボタン（２３０２）が設置されており、このボタンを押すことにより商品を選択することが可能である。また、商品陳列の中段右端に募金額受付部のインターフェース（２３０３）が設置されている。また、右側中央部には表示部（２３０４）、硬貨投入口（２３０５）、返却レバー（２３０６）、紙幣投入口（２３０７）、釣銭取出口（２３０８）等が設置されている。さらに、最下部には商品取出口（２３０９）が設置されている。募金額受付部のインターフェースは利用者が募金額を指定できるようなシステムを有しているものであれば、どのような形で設けられていても良い。また、募金と同時に氏名やペンネームを入力できるシステムを有していても良いし、指紋や虹彩もしくは識別番号等により個人を識別し、個人毎の募金合計金額を算出できる機能を有していても構わない。
【０１５６】
次に、図２３において自動販売機筐体（２３００）の左全体にはディスプレイ（２３１０）が設置されており、募金先の情報や募金状況情報等を映像で表示できる。さらに、最上部には音声装置（２３１１）が設置されている。
【０１５７】
本実施形態に係る自動販売機の機能ブロックは図２１に示したものとほぼ同様であり、各部については実施形態１から８にて既に記載済みであるのでその説明は省略する。
【０１５８】
本実施形態に係る自動販売機のハードウェア構成の一例を図２４に示した。この図を利用してそれぞれのハードウェア構成部の働きについて説明する。この図にあるように、本実施形態の自動販売機は、「ＣＰＵ（中央演算装置）」（２４０１）、「主メモリ」（２４０２）、「インターフェース」（２４０３）、「記憶装置」（２４０４）、「Ｉ／Ｏ（インプット／アウトプット）」（２４０５）等で構成されており、それらが「システムバス」（２４０６）等のデータ通信経路によって相互に接続され、情報の送受信や処理を行う。
【０１５９】
「主メモリ」は、差額算出プログラム（２４０７）、募金額受付プログラム（２４０８）、釣銭額算出プログラム（２４０９）、入金額設定プログラム（２４１０）、記憶情報消去プログラム（２４１１）、募金内容印刷プログラム（２４１２）、募金額ランキング決定プログラム（２４１３）、募金履歴発行プログラム（２４１４）を実行するために読み出すと同時にそのプログラムの作業領域であるワーク領域を提供する。
【０１６０】
「インターフェース」は、投入口（２４１５）、電子マネー取得部（２４１６）、商品購入ボタン（２４１７）、募金額受付部インターフェース（２４１８）、表示部（２４１９）、返却レバー（２４２０）、ディスプレイ（２４２１）、音声装置（２４２２）を備えている。
【０１６１】
「Ｉ／Ｏ」は、情報の入出力を行う。本実施形態においては、プリンター（２４２６）と、処理履歴情報送信部と、募金情報発信部と、募金情報受信部を有することを特徴とする。
【０１６２】
「ＣＰＵ」、「記憶装置」については、実施形態１及び８にて既に記載済みであるのでその説明は省略する。
【０１６３】
「差額算出部」、「募金額受付部」、「釣銭額算出部」、「入金額設定部」、「商品選択情報記憶部」、「募金額加算情報記憶部」、「記憶情報処理部」、「処理履歴情報保持部」、「処理履歴情報送信部」の各部の処理については、実施形態１から８にて既に記載済みであるのでその説明は省略する。
【０１６４】
（募金情報発信部と募金情報受信部の処理）
所定の時間毎、もしくは信号の入力があると、「ＣＰＵ」は記憶装置に格納、保持している募金情報を読み出し、Ｉ／Ｏインターフェースからインターネット通信等の手段で情報を発信する。また、他の自動販売機から募金情報が受信されると、「ＣＰＵ」はその情報を記憶装置に格納、保持する。
【０１６５】
<実施形態９：各種の実施例>
【０１６６】
（自動販売機が募金を受け入れた際に音声で募金内容や募金先情報を出力する）
「ＣＰＵ」は、募金額受付部によって記憶装置に格納、保持されている募金額情報を読み出し、音声装置からその情報を含んだ文字列を音声出力する。合わせて募金先情報を音声出力しても良い。
【０１６７】
（自動販売機から販売される商品パッケージに募金内容等を印刷する）
「ＣＰＵ」は、記憶装置等に格納、保持されている募金内容印刷プログラムと募金額情報を「主メモリ」に読み出し、「主メモリ」に展開されている募金内容印刷プログラムを実行する。この処理により、プリンターを用いて商品のパッケージに募金内容等を印刷することが可能である。
【０１６８】
（自動販売機が募金者の氏名やニックネーム等を音声出力してお礼を言う）
利用者は、募金額受付部のインターフェースから氏名やニックネーム等を入力することが可能である。また、電子マネー取得部から電子的に入金を取得する際に、氏名やニックネーム等の情報も合わせて取得することも可能である。「ＣＰＵ」は前記のようにして取得した募金者の氏名やニックネーム等の情報を記憶装置に格納、保持する。次に、記憶装置に格納、保持している募金者の氏名、ニックネーム等の情報を読み出し、音声装置からその情報を出力する。例えば、「○○さん、募金ありがとうございます。」という出力をする。募金額の情報も合わせて出力しても良い。また、出力される音声は複数のパターンが用意されていても良い。例えば、複数の芸能人の声を録音しておき、利用者がボタン等によって好きな芸能人を選択した情報を元に出力しても良いし、利用者が購入した商品の宣伝をしている芸能人の声を選択して出力しても良い。また、ランダムな出力であっても良い。さらに、電子マネーにより入金される場合においては、利用者が好きな芸能人が誰であるかの情報を合わせて取得し、その情報を元に出力する音声を選択することも可能である。
【０１６９】
（自動販売機に本日の募金者、今週の募金者等の氏名やニックネーム等を表示する）
「ＣＰＵ」は、記憶装置に格納、保持している募金者の氏名、ニックネームや募金額情報等を読み出し、その情報をディスプレイに表示する。
【０１７０】
（自動販売機に募金額ランキング等を表示する）
「ＣＰＵ」は、記憶装置に格納、保持している募金額ランキング決定プログラムと募金者の氏名、ニックネームや募金額情報等の情報を「主メモリ」に読み出す。次に、「ＣＰＵ」は、「主メモリ」に展開されている募金額ランキング決定プログラムを実行する。この処理により決定したランキングを、ディスプレイに表示する。このランキングは一の自動販売機に限られたランキングであっても良いし、日本中に設置されている募金装置付自動販売機のデータを集計して決定したランキングであっても良い。
【０１７１】
（自動販売機に募金を受け取る人たちのメッセージ映像等を表示する）
上記の募金状況のディスプレイへの表示に加えて、募金を受け取る人たちのメッセージ映像等をディスプレイに表示することで、より効果的に募金を集めることが可能となると考えられる。
【０１７２】
（自動販売機に過去の募金履歴証明書の発行機能をもたせる）
「ＣＰＵ」は、記憶装置に格納、保持している募金履歴発行プログラムと募金者の氏名、ニックネームや募金額情報等の情報を「主メモリ」に読み出す。次に、「ＣＰＵ」は、「主メモリ」に展開されている募金履歴発行プログラムを実行する。この処理により募金者の氏名、ニックネームや募金額情報を記載した証明書を発行する。さらに、自動販売機に個人識別機能を持たせることによって、過去の募金履歴を集計した証明書を発行することも可能である。この募金履歴証明書は、電子的なものであっても、印刷されたものであっても構わない。
【０１７３】
<実施形態９：効果>自動販売機にディスプレイと音声装置を設置することにより、募金状況や募金を受け取る人たちの状況を利用者に分かりやすく伝えることが可能である。
【０１７４】
また、募金に貢献したことを出力する機能を持ち合わせることで、利用者に募金を促す効果が期待できる。
【図面の簡単な説明】
【０１７５】
【図１】実施形態１に係る自動販売機の概略構成図
【図２】実施形態１に係る自動販売機の機能ブロックの一例を示す図
【図３】実施形態１に係る自動販売機のハードウェア構成の一例を示す図
【図４】実施形態１における処理の流れの一例を示すフロー図
【図５】実施形態２に係る募金額受付部のインターフェースの拡大図
【図６】実施形態２に係る自動販売機のハードウェア構成の一例を示す図
【図７】実施形態２における処理の流れの一例を示すフロー図
【図８】実施形態４に係る自動販売機の機能ブロックの一例を示す図
【図９】実施形態４における処理の流れの一例を示すフロー図
【図１０】実施形態５に係る自動販売機の概略構成図
【図１１】実施形態５に係る自動販売機の機能ブロックの一例を示す図
【図１２】実施形態５に係る自動販売機のハードウェア構成の一例を示す図
【図１３】実施形態５における処理の流れの一例を示すフロー図
【図１４】実施形態６に係る自動販売機の機能ブロックの一例を示す図
【図１５】実施形態６に係る自動販売機のハードウェア構成の一例を示す図
【図１６】実施形態６における処理を説明する概念図
【図１７】実施形態７に係る自動販売機の機能ブロックの一例を示す図
【図１８】実施形態７に係る自動販売機のハードウェア構成の一例を示す図
【図１９】実施形態７における処理を説明する概念図
【図２０】実施形態８の概念図
【図２１】実施形態８に係る自動販売機の機能ブロックの一例を示す図
【図２２】実施形態８に係る自動販売機のハードウェア構成の一例を示す図
【図２３】実施形態９に係る自動販売機の概略構成図
【図２４】実施形態９に係る自動販売機のハードウェア構成の一例を示す図
【符号の説明】
【０１７６】
０１００  自動販売機筐体
０１０１  商品
０１０２  商品購入ボタン
０１０３  募金額受付部のインターフェース
０１０４  広告用スペース
０１０５  表示部
０１０６  硬貨投入口
０１０７  紙幣投入口
０１０８  返却レバー
０１０９  商品取出口
０１１０  釣銭取出口
【図１】
2008021103.tif 000003
【図２】
2008021103.tif 000004
【図３】
2008021103.tif 000005
【図４】
2008021103.tif 000006
【図５】
2008021103.tif 000007
【図６】
2008021103.tif 000008
【図７】
2008021103.tif 000009
【図８】
2008021103.tif 000010
【図９】
2008021103.tif 000011
【図１０】
2008021103.tif 000012
【図１１】
2008021103.tif 000013
【図１２】
2008021103.tif 000014
【図１３】
2008021103.tif 000015
【図１４】
2008021103.tif 000016
【図１５】
2008021103.tif 000017
【図１６】
2008021103.tif 000018
【図１７】
2008021103.tif 000019
【図１８】
2008021103.tif 000020
【図１９】
2008021103.tif 000021
【図２０】
2008021103.tif 000022
【図２１】
2008021103.tif 000023
【図２２】
2008021103.tif 000024
【図２３】
2008021103.tif 000025
【図２４】
2008021103.tif 000026